(57)【要約】【課題】自家発電による発電電力に関する情報と各電気機器の消費電力に関する情報とを併せてユーザに提示することが可能な電力管理装置を得る。【解決手段】ホームゲートウェイ１１は、自家発電による発電電力に関するデータと、複数の電気機器の各々の消費電力に関するデータとを取得する取得部４１と、取得部４１が取得したデータに基づいて、発電電力に関する情報と各電気機器の消費電力に関する情報とを含む管理データ７２を作成する作成部４３と、作成部４３が作成した管理データ７２を出力する表示処理部４４と、を備える。【選択図】図３
2012247894.tif 000002
【特許請求の範囲】
【請求項１】
自家発電による発電電力に関するデータと、複数の電気機器の各々の消費電力に関するデータとを取得する取得手段と、
前記取得手段が取得したデータに基づいて、発電電力に関する情報と各電気機器の消費電力に関する情報とを含む管理データを作成する作成手段と、
前記作成手段が作成した前記管理データを出力する出力手段と、
を備える、電力管理装置。
【請求項２】
前記取得手段は、電力会社に対する売買電力に関するデータをさらに取得し、
前記管理データには、売買電力に関する情報がさらに含まれる、請求項１に記載の電力管理装置。
【請求項３】
前記管理データに含まれている複数の電気機器の中から、所望の電気機器の選択を受け付ける受付手段
をさらに備え、
前記管理データには、前記受付手段が選択を受け付けた電気機器の電源をオフすることとした場合の、当該電気機器のオフ後の売買電力に関する情報が含まれる、請求項２に記載の電力管理装置。
【請求項４】
前記管理データには、個別に消費電力が測定されない一以上の電気機器の合計の消費電力に関する情報がさらに含まれる、請求項１〜３のいずれか一つに記載の電力管理装置。
【請求項５】
前記管理データには、各電気機器についての消費電力の統計情報がさらに含まれる、請求項１〜４のいずれか一つに記載の電力管理装置。
【請求項６】
前記作成手段が作成した前記管理データを所定のサーバに送信する送信手段と、
所定期間内に受信した複数の前記管理データに基づいて前記サーバによって作成された前記統計情報を、当該サーバから受信する受信手段と、
をさらに備える、請求項５に記載の電力管理装置。
【請求項７】
前記管理データにおいて、発電電力に関する情報及び各電気機器の消費電力に関する情報は、金銭単位の情報として表される、請求項１〜６のいずれか一つに記載の電力管理装置。
【請求項８】
前記管理データに含まれている複数の電気機器のうち、予め設定された一以上の特定の電気機器への給電を一括して遮断する制御手段
をさらに備える、請求項１〜７のいずれか一つに記載の電力管理装置。
【請求項９】
前記制御手段は、所定の通信機器から給電の一括遮断の実行命令を受信することにより、前記特定の電気機器への給電を一括して遮断する、請求項８に記載の電力管理装置。
【請求項１０】
前記取得手段は、所定の電力供給装置に接続されている電気機器の消費電力を当該電力供給装置から取得し、
前記電力供給装置に接続されている電気機器を同定する同定手段
をさらに備える、請求項１〜９のいずれか一つに記載の電力管理装置。
【請求項１１】
電力管理装置と、
前記電力管理装置と通信可能であり、また、自身に接続されている電気機器の消費電力を測定可能な電力供給装置と、
を備え、
前記電力管理装置は、
自家発電による発電電力に関するデータを取得し、また、複数の電気機器の各々の消費電力に関するデータを前記電力供給装置から取得する取得手段と、
前記取得手段が取得したデータに基づいて、発電電力に関する情報と各電気機器の消費電力に関する情報とを含む管理データを作成する作成手段と、
前記作成手段が作成した前記管理データを出力する出力手段と、
を有する、電力管理システム。
【請求項１２】
電力管理装置に搭載されるコンピュータを、
自家発電による発電電力に関するデータと、複数の電気機器の各々の消費電力に関するデータとを取得する取得手段と、
前記取得手段が取得したデータに基づいて、発電電力に関する情報と各電気機器の消費電力に関する情報とを含む管理データを作成する作成手段と、
前記作成手段が作成した前記管理データを出力する出力手段と、
として機能させるための、プログラム。
【発明の詳細な説明】
【技術分野】
【０００１】
本発明は、電力管理装置、電力管理システム、及びプログラムに関する。
【背景技術】
【０００２】
例えば下記非特許文献１には、背景技術に係る太陽光発電システムが開示されている。当該太陽光発電システムは、太陽電池モジュール、パワーコンディショナ、分電盤、及び電力モニタ等を備えて構成されている。
【０００３】
電力モニタの表示内容の詳細は、下記非特許文献２に開示されている。電力モニタには、その住宅内に設置されている電気機器の総消費電力と、太陽電池モジュールによる発電電力と、総消費電力と発電電力との差である売電力又は買電力とが画面上に並んで表示される。
【先行技術文献】
【非特許文献】
【０００４】
【非特許文献１】太陽光発電システムの構成、[online]、シャープ株式会社、［平成２３年２月２１日検索］、インターネット＜URL：http://www.sharp.co.jp/sunvista/inquire/product/solar_system/＞
【非特許文献２】カラー電力モニタ、[online]、シャープ株式会社、［平成２３年２月２１日検索］、インターネット＜URL：http://www.sharp.co.jp/sunvista/inquire/product/monitor/＞
【発明の概要】
【発明が解決しようとする課題】
【０００５】
上述したように背景技術に係る電力モニタでは、総消費電力と、発電電力と、売電力又は買電力とが画面上に表示される。
【０００６】
しかしながら、住宅における総消費電力を知ることができても、その住宅内に設置されている個々の電気機器の消費電力が分からなければ、ユーザは、どの電気機器の使用を控えれば効率的に節電できるかを判断することができない。換言すれば、個々の電気機器の消費電力に関する情報をユーザに提示できれば、ユーザが消費電力の高い電気機器の使用を控えることが期待できる。その結果、そのユーザにとっては、売電力の増加に伴ってシステムの導入コストを早期に回収できる等のメリットがあり、また、社会全体にとっても、消費電力の高い電気機器の使用が控えられることで省エネルギが推進されるというメリットがある。
【０００７】
本発明はかかる事情に鑑みて成されたものであり、自家発電による発電電力に関する情報と各電気機器の消費電力に関する情報とを併せてユーザに提示することが可能な、電力管理装置、電力管理システム、及びプログラムを得ることを目的とする。
【課題を解決するための手段】
【０００８】
本発明の第１の態様に係る電力管理装置は、自家発電による発電電力に関するデータと、複数の電気機器の各々の消費電力に関するデータとを取得する取得手段と、前記取得手段が取得したデータに基づいて、発電電力に関する情報と各電気機器の消費電力に関する情報とを含む管理データを作成する作成手段と、前記作成手段が作成した前記管理データを出力する出力手段と、を備えることを特徴とするものである。
【０００９】
第１の態様に係る電力管理装置によれば、作成手段は、発電電力に関する情報と各電気機器の消費電力に関する情報とを含む管理データを作成し、出力手段は、作成手段が作成した管理データを出力する。従って、出力手段が管理データを画面表示等によって出力することにより、発電電力に関する情報と各電気機器の消費電力に関する情報とが併せてユーザに提示される。その結果、ユーザは、提示された管理データを参照することにより、どの電気機器の使用を控えれば効率的に節電できるかを容易に判断することが可能となる。
【００１０】
本発明の第２の態様に係る電力管理装置は、第１の態様に係る電力管理装置において特に、前記取得手段は、電力会社に対する売買電力に関するデータをさらに取得し、前記管理データには、売買電力に関する情報がさらに含まれることを特徴とするものである。
【００１１】
第２の態様に係る電力管理装置によれば、管理データには、電力会社に対する売買電力に関する情報が含まれる。従って、ユーザは、提示された管理データを参照することにより、どの電気機器の使用を控えれば効率的に売電力を増加又は買電力を減少できるかを、容易に判断することが可能となる。
【００１２】
本発明の第３の態様に係る電力管理装置は、第２の態様に係る電力管理装置において特に、前記管理データに含まれている複数の電気機器の中から、所望の電気機器の選択を受け付ける受付手段をさらに備え、前記管理データには、前記受付手段が選択を受け付けた電気機器の電源をオフすることとした場合の、当該電気機器のオフ後の売買電力に関する情報が含まれることを特徴とするものである。
【００１３】
第３の態様に係る電力管理装置によれば、管理データには、受付手段が選択を受け付けた電気機器の電源をオフすることとした場合の、当該電気機器のオフ後の売買電力に関する情報が含まれる。従って、ユーザは、提示された管理データを参照することにより、どの電気機器の電源をオフすればどの程度売電力が増加するか又は買電力が減少するかを、具体的に判断することが可能となる。
【００１４】
本発明の第４の態様に係る電力管理装置は、第１〜第３のいずれか一つの態様に係る電力管理装置において特に、前記管理データには、個別に消費電力が測定されない一以上の電気機器の合計の消費電力に関する情報がさらに含まれることを特徴とするものである。
【００１５】
第４の態様に係る電力管理装置によれば、管理データには、個別に消費電力が測定されない一以上の電気機器の合計の消費電力に関する情報が含まれる。従って、ユーザは、提示された管理データを参照することにより、個別の消費電力に関する情報が管理データに含まれている電気機器（つまり個別に消費電力が測定される電気機器）以外の電気機器において、どの程度電力が消費されているかを容易に判断することが可能となる。
【００１６】
本発明の第５の態様に係る電力管理装置は、第１〜第４のいずれか一つの態様に係る電力管理装置において特に、前記管理データには、各電気機器についての消費電力の統計情報がさらに含まれることを特徴とするものである。
【００１７】
第５の態様に係る電力管理装置によれば、管理データには、各電気機器についての消費電力の統計情報が含まれる。従って、ユーザは、提示された管理データを参照することにより、月単位、季節単位、年単位等の所定の期間単位で、各電気機器についての消費電力の増減傾向を容易に判断することが可能となる。
【００１８】
本発明の第６の態様に係る電力管理装置は、第５の態様に係る電力管理装置において特に、前記作成手段が作成した前記管理データを所定のサーバに送信する送信手段と、所定期間内に受信した複数の前記管理データに基づいて前記サーバによって作成された前記統計情報を、当該サーバから受信する受信手段と、をさらに備えることを特徴とするものである。
【００１９】
第６の態様に係る電力管理装置によれば、送信手段は、作成手段が作成した管理データを所定のサーバに送信し、サーバは、所定期間内に受信した複数の管理データに基づいて統計情報を作成する。従って、統計情報を作成するための大量の管理データを電力管理装置内に記憶しておく必要がなく、また、統計情報の作成機能を電力管理装置内に実装する必要もないため、電力管理装置の製品コストを低減することが可能となる。
【００２０】
本発明の第７の態様に係る電力管理装置は、第１〜第６のいずれか一つの態様に係る電力管理装置において特に、前記管理データにおいて、発電電力に関する情報及び各電気機器の消費電力に関する情報は、金銭単位の情報として表されることを特徴とするものである。
【００２１】
第７の態様に係る電力管理装置によれば、管理データにおいて、発電電力に関する情報及び各電気機器の消費電力に関する情報は、金銭単位の情報として表される。従って、ユーザは、提示された管理データを参照することにより、節電による金銭的なメリットを容易に判断することが可能となる。また、金銭単位の情報をユーザに提示することにより、節電に対するユーザの意識を高めることが可能となる。
【００２２】
本発明の第８の態様に係る電力管理装置は、第１〜第７のいずれか一つの態様に係る電力管理装置において特に、前記管理データに含まれている複数の電気機器のうち、予め設定された一以上の特定の電気機器への給電を一括して遮断する制御手段をさらに備えることを特徴とするものである。
【００２３】
第８の態様に係る電力管理装置によれば、制御手段は、管理データに含まれている複数の電気機器のうち、予め設定された一以上の特定の電気機器への給電を一括して遮断する。従って、外出時等に当該特定の電気機器への給電を遮断することによって、当該電気機器における待機電力の発生を回避でき、その結果、節電効果をさらに高めることが可能となる。
【００２４】
本発明の第９の態様に係る電力管理装置は、第８の態様に係る電力管理装置において特に、前記制御手段は、所定の通信機器から給電の一括遮断の実行命令を受信することにより、前記特定の電気機器への給電を一括して遮断することを特徴とするものである。
【００２５】
第９の態様に係る電力管理装置によれば、制御手段は、所定の通信機器から給電の一括遮断の実行命令を受信することにより、特定の電気機器への給電を一括して遮断する。従って、ユーザは、外出先で携帯電話やパソコンから一括遮断の実行命令を送信したり、玄関に設置されている通信機能付きの操作ボタンを外出時に押下する等によって、給電の一括遮断を容易に実行することが可能となる。
【００２６】
本発明の第１０の態様に係る電力管理装置は、第１〜第９のいずれか一つの態様に係る電力管理装置において特に、前記取得手段は、所定の電力供給装置に接続されている電気機器の消費電力を当該電力供給装置から取得し、前記電力供給装置に接続されている電気機器を同定する同定手段をさらに備えることを特徴とするものである。
【００２７】
第１０の態様に係る電力管理装置によれば、取得手段は、所定の電力供給装置に接続されている電気機器の消費電力を当該電力供給装置から取得し、同定手段は、電力供給装置に接続されている電気機器を同定する。従って、電力供給装置と電気機器との対応関係をユーザが手動設定する必要がないため、ユーザの利便性を向上することが可能となる。
【００２８】
本発明の第１１の態様に係る電力管理システムは、電力管理装置と、前記電力管理装置と通信可能であり、また、自身に接続されている電気機器の消費電力を測定可能な電力供給装置と、を備え、前記電力管理装置は、自家発電による発電電力に関するデータを取得し、また、複数の電気機器の各々の消費電力に関するデータを前記電力供給装置から取得する取得手段と、前記取得手段が取得したデータに基づいて、発電電力に関する情報と各電気機器の消費電力に関する情報とを含む管理データを作成する作成手段と、前記作成手段が作成した前記管理データを出力する出力手段と、を有することを特徴とするものである。
【００２９】
第１１の態様に係る電力管理システムによれば、作成手段は、発電電力に関する情報と各電気機器の消費電力に関する情報とを含む管理データを作成し、出力手段は、作成手段が作成した管理データを出力する。従って、出力手段が管理データを画面表示等によって出力することにより、発電電力に関する情報と各電気機器の消費電力に関する情報とが併せてユーザに提示される。その結果、ユーザは、提示された管理データを参照することにより、どの電気機器の使用を控えれば効率的に節電できるかを容易に判断することが可能となる。
【００３０】
本発明の第１２の態様に係るプログラムは、電力管理装置に搭載されるコンピュータを、自家発電による発電電力に関するデータと、複数の電気機器の各々の消費電力に関するデータとを取得する取得手段と、前記取得手段が取得したデータに基づいて、発電電力に関する情報と各電気機器の消費電力に関する情報とを含む管理データを作成する作成手段と、前記作成手段が作成した前記管理データを出力する出力手段と、として機能させるためのプログラムである。
【００３１】
第１２の態様に係るプログラムによれば、作成手段は、発電電力に関する情報と各電気機器の消費電力に関する情報とを含む管理データを作成し、出力手段は、作成手段が作成した管理データを出力する。従って、出力手段が管理データを画面表示等によって出力することにより、発電電力に関する情報と各電気機器の消費電力に関する情報とが併せてユーザに提示される。その結果、ユーザは、提示された管理データを参照することにより、どの電気機器の使用を控えれば効率的に節電できるかを容易に判断することが可能となる。
【発明の効果】
【００３２】
本発明によれば、自家発電による発電電力に関する情報と各電気機器の消費電力に関する情報とを併せてユーザに提示することが可能となる。
【図面の簡単な説明】
【００３３】
【図１】本発明の実施の形態に係る電力管理システムの全体構成を示す図である。
【図２】ホームゲートウェイのハードウェア構成を簡略化して示す図である。
【図３】プログラムを実行することによってデータ処理部に実現される機能を示すブロック図である。
【図４】電源タップの構成を示すブロック図である。
【図５】電源タップの構成を示すブロック図である。
【図６】同定部によって作成されたテーブルを示す図である。
【図７】表示部に表示された管理データの一例を示す図である。
【図８】管理データの一例を示す図である。
【図９】管理データの一例を示す図である。
【図１０】管理データの一例を示す図である。
【図１１】管理データの一例を示す図である。
【発明を実施するための形態】
【００３４】
以下、本発明の実施の形態について、図面を用いて詳細に説明する。なお、異なる図面において同一の符号を付した要素は、同一又は相応する要素を示すものとする。
【００３５】
図１は、本発明の実施の形態に係る電力管理システム１の全体構成を示す図である。例えばユーザの住宅２には、太陽電池モジュール３、接続箱４、パワーコンディショナ５、発電電力計測部６、分電盤７、及び売買電力計測部８が設置されている。発電電力計測部６は、パワーコンディショナ５から分電盤７に流れる電流をクランプメータを用いて計測すること等により、太陽電池モジュール３による自家発電の発電電力を計測する。売買電力計測部８は、電柱９と分電盤７との間を流れる電流をクランプメータを用いて計測すること等により、電力会社に対する売買電力を計測する。分電盤７には、コンセント２０〜２２が接続されている。コンセント２０〜２２は、一以上の接続口（本実施の形態ではポートＡ〜Ｃ）をそれぞれ有している。コンセント２０のポートＢには電源タップ１８が接続されており、コンセント２１のポートＢには電源タップ１９が接続されている。電源タップ１８，１９は、一以上の接続口（本実施の形態ではポートＸ〜Ｚ）をそれぞれ有している。
【００３６】
また、住宅２には様々な電気機器が設置されており、本実施の形態では一例として、テレビ１２、レコーダ１３、パソコン１４、電話１５、冷蔵庫１６、及びエアコン１７が住宅２に設置されている。テレビ１２は電源タップ１８のポートＸに接続されており、レコーダ１３は電源タップ１８のポートＹに接続されており、パソコン１４は電源タップ１８のポートＺに接続されており、電話１５は電源タップ１９のポートＸに接続されており、冷蔵庫１６は電源タップ１９のポートＹに接続されており、エアコン１７はコンセント２２のポートＢに接続されている。また、テレビ１２、レコーダ１３、パソコン１４、電話１５、冷蔵庫１６、及びエアコン１７は、宅内ＬＡＮ（Local Area Network）等の通信ネットワーク１０に接続されている。通信ネットワーク１０には、電力管理装置として機能するホームゲートウェイ１１が接続されている。ホームゲートウェイ１１は、ＩＰ（Internet Protocol）ネットワーク等の外部の通信ネットワーク２４に接続されている。通信ネットワーク２４には、プロバイダ等の契約サービス会社が有するサーバ２５が接続されている。また、住宅２の例えば玄関には、操作ボタン２３が設置されている。
【００３７】
発電電力計測部６、売買電力計測部８、電源タップ１８，１９、及び操作ボタン２３は、無線（又は電力線通信等であってもよい）によってホームゲートウェイ１１と通信可能である。また、テレビ１２、レコーダ１３、パソコン１４、電話１５、冷蔵庫１６、及びエアコン１７は、通信ネットワーク１０を介してホームゲートウェイ１１と通信可能である。また、サーバ２５は、通信ネットワーク２４を介してホームゲートウェイ１１と通信可能である。
【００３８】
図２は、ホームゲートウェイ１１のハードウェア構成を簡略化して示す図である。図２に示すようにホームゲートウェイ１１は、通信部３１，３２と、ＣＰＵ（Central Processing Unit）等のデータ処理部３３と、液晶画面等の表示部３４と、操作ボタン又は液晶タッチパネル等の入力部３５と、ハードディスク又は半導体メモリ等の記憶部３６とを備えて構成されている。通信部３１は、通信ネットワーク１０，２４と通信を行う。通信部３２は、発電電力計測部６、売買電力計測部８、電源タップ１８，１９、及び操作ボタン２３と通信を行う。記憶部３６には、データ処理部３３を動作させるためのプログラム３７が記憶されている。なお、表示部３４及び入力部３５は、ホームゲートウェイ１１とは別体の機器として構成されていてもよい。
【００３９】
図３は、プログラム３７を実行することによってデータ処理部３３に実現される機能を示すブロック図である。図３に示すようにデータ処理部３３は、取得部４１、演算部４２、作成部４３、表示処理部４４、受付部４５、送信処理部４６、受信処理部４７、制御部４８、及び同定部４９を有している。換言すれば、プログラム３７は、電力管理装置としてのホームゲートウェイ１１に搭載されるコンピュータを、取得部４１、演算部４２、作成部４３、表示処理部４４、受付部４５、送信処理部４６、受信処理部４７、制御部４８、及び同定部４９として機能させるためのプログラムである。
【００４０】
図４は、電源タップ１８の構成を示すブロック図である。図４に示すように電源タップ１８は、通信部５０、給電制御部５１〜５３、及び計測部５４〜５６を備えている。通信部５０は、無線によってホームゲートウェイ１１と通信を行う。給電制御部５１は、リレー等を有して構成されており、分電盤７からコンセント２０を介して供給される駆動電力を、ポートＸを介してテレビ１２に供給するか否かを、通信部５０から入力される制御信号によって制御する。同様に、給電制御部５２，５３は、駆動電力をポートＹ，Ｚを介してレコーダ１３及びパソコン１４にそれぞれ供給するか否かを、通信部５０から入力される制御信号によってそれぞれ制御する。
【００４１】
計測部５４は、給電制御部５１からポートＸを介してテレビ１２に供給されている電力を測定することによって、テレビ１２の消費電力を計測する。そして、計測したテレビ１２の消費電力に関する情報を、通信部５０に入力する。同様に、計測部５５，５６は、給電制御部５２，５３からポートＹ，Ｚを介してレコーダ１３及びパソコン１４にそれぞれ供給されている電力を測定することによって、レコーダ１３及びパソコン１４の消費電力をそれぞれ計測する。そして、計測したレコーダ１３及びパソコン１４の消費電力に関する情報を、通信部５０にそれぞれ入力する。
【００４２】
図５は、電源タップ１９の構成を示すブロック図である。図５に示すように電源タップ１９は、通信部６０、給電制御部６１〜６３、及び計測部６４〜６６を備えている。通信部６０は、無線によってホームゲートウェイ１１と通信を行う。給電制御部６１は、リレー等を有して構成されており、分電盤７からコンセント２１を介して供給される駆動電力を、ポートＸを介して電話１５に供給するか否かを、通信部６０から入力される制御信号によって制御する。同様に、給電制御部６２は、駆動電力をポートＹを介して冷蔵庫１６に供給するか否かを、通信部６０から入力される制御信号によってそれぞれ制御する。
【００４３】
計測部６４は、給電制御部６１からポートＸを介して電話１５に供給されている電力を測定することによって、電話１５の消費電力を計測する。そして、計測した電話１５の消費電力に関する情報を、通信部６０に入力する。同様に、計測部６５は、給電制御部６２からポートＹを介して冷蔵庫１６に供給されている電力を測定することによって、冷蔵庫１６の消費電力を計測する。そして、計測した冷蔵庫１６の消費電力に関する情報を、通信部６０に入力する。
【００４４】
図３を参照して、同定部４９は、通信ネットワーク１０上を流れる通信パケットと、電源タップ１８，１９から受信する消費電力に関する情報とに基づいて、電源タップ１８，１９の各ポートＸ〜Ｚに接続されている電気機器を同定する。例えばテレビ１２の電源状態がオフ状態からオン状態に移行すると、テレビ１２の消費電力が急激に増加するとともに、テレビ１２から通信ネットワーク１０への接続開始を示す所定の通信パケットが、通信ネットワーク１０上を流れる。この通信パケットは、例えばＳＳＤＰ（Simple Service Discovery Protocol）のアライブパケット又はＩＧＭＰ（Internet Group Management Protocol）のアライブパケットであり、テレビ１２の識別情報（ＭＡＣ（Media Access Control）アドレス、機器の種別、製造メーカ等）が含まれている。従って、同定部４９は、接続されている電気機器の消費電力が急激に増加した電源タップのポートと、当該通信パケットに含まれている識別情報によって示される電気機器とを関連付けることにより、電源タップ１８のポートＸにはテレビ１２が接続されていると同定する。同定部４９は、レコーダ１３、パソコン１４、電話１５、及び冷蔵庫１６についても上記と同様に同定を行う。なお、同定部４９によって同定できなかった電気機器については、ユーザの手動設定によって電源タップのポートと電気機器との関連付けが行われる。
【００４５】
図６は、同定部４９によって作成されたテーブル７１を示す図である。テーブル７１には、電源タップのタップＩＤと、ポートＩＤと、各ポートに接続されている電気機器との対応関係が記述されている。例えば、タップＩＤが「１８」である電源タップ１８の、ポートＩＤが「Ｘ」であるポートＸには、テレビ１２が接続されていることが、テーブル７１に示されている。また例えば、タップＩＤが「１９」である電源タップ１９の、ポートＩＤが「Ｙ」であるポートＹには、冷蔵庫１６が接続されていることが、テーブル７１に示されている。
【００４６】
また、テーブル７１には、各電気機器を一括オフ（詳細は後述）の制御対象に含めるか否かを設定するための項目が設けられている。この設定は、ユーザの手動設定によって行われる。図６に示した例では、テレビ１２、レコーダ１３、及びパソコン１４は一括オフの制御対象に含まれ、電話１５及び冷蔵庫１６は一括オフの制御対象に含まれないような設定がなされている。
【００４７】
図３を参照して、取得部４１は、太陽電池モジュール３による自家発電の発電電力に関するデータを発電電力計測部６から取得し、テレビ１２、レコーダ１３、パソコン１４、電話１５、及び冷蔵庫１６の各消費電力に関するデータを電源タップ１８，１９から取得し、電力会社に対する売買電力に関するデータを売買電力計測部８から取得する。これらのデータは、取得部４１から演算部４２に入力される。
【００４８】
演算部４２は、発電電力と売買電力とに基づいて総消費電力を算出する。また、演算部４２は、テレビ１２、レコーダ１３、パソコン１４、電話１５、及び冷蔵庫１６の合計消費電力を算出する。そして、演算部４２は、総消費電力と合計消費電力とに基づいて、テレビ１２、レコーダ１３、パソコン１４、電話１５、及び冷蔵庫１６以外の電気機器（例えばエアコン１７）の合計の消費電力を算出する。これらの電力に関するデータは、演算部４２から作成部４３に入力される。
【００４９】
作成部４３は、演算部４２から入力されたデータに基づいて、所定の管理データ７２を作成する。管理データ７２は、作成部４３から表示処理部４４に入力され、表示処理部４４によって表示部３４（図２参照）に表示される。
【００５０】
図７は、表示部３４に表示された管理データ７２の一例を示す図である。図７に示すように管理データ７２には、発電電力、消費電力、及び売買電力に関する情報が含まれる。消費電力の欄には、テレビ１２、レコーダ１３、パソコン１４、電話１５、及び冷蔵庫１６の各々の消費電力が、その値が高い順に並べて表示されている。また、消費電力の欄の「その他」の項目には、テレビ１２、レコーダ１３、パソコン１４、電話１５、及び冷蔵庫１６以外の電気機器の合計の消費電力が表示されている。売買電力の欄には、買電状態である場合には「買  ○ｋＷ」と表示され、売電状態である場合には「売  ○ｋＷ」と表示される。
【００５１】
また、テーブル７１において一括オフの制御対象として設定された電気機器（テレビ１２、レコーダ１３、及びパソコン１４）の項目の隣には、オフ選択ボタン１００〜１０２がそれぞれ表示されている。
【００５２】
例えば、ユーザが画面へのタッチ操作によってオフ選択ボタン１００を押下すると、その旨の情報が入力部３５からデータ処理部３３に入力され、当該情報は受付部４５によって受け付けられる。受付部４５は、テレビ１２が選択された旨の情報を演算部４２に入力する。演算部４２は、テレビ１２の消費電力をゼロと仮定して総消費電力を再計算し、また、当該総消費電力と発電電力とに基づいて、テレビ１２の消費電力を「０ｋＷ」と仮定した場合の売買電力を再計算する。作成部４３は、再計算された値に基づいて新たな管理データ７３を作成する。管理データ７３は表示処理部４４によって表示部３４に表示される。
【００５３】
図８は、管理データ７３の一例を示す図である。テレビ１２の消費電力として「０ｋＷ」が表示されている。また、売買電力の項目には、テレビ１２の消費電力を「０ｋＷ」と仮定して再計算された売買電力の値が表示されている。この例では、テレビ１２の消費電力を「０ｋＷ」と仮定することにより、図７の買電状態が図８では売電状態に遷移している。また、テレビ１２の消費電力の項目の隣には、オフ実行ボタン１００Ａが表示されている。ユーザが画面へのタッチ操作によってオフ実行ボタン１００Ａを押下すると、テレビ１２のオフの実行命令がホームゲートウェイ１１から電源タップ１８に送信され、給電制御部５１のリレーが遮断状態とされることにより、テレビ１２への電力供給が停止される。なお、以上の説明ではテレビ１２のオフが選択された場合の処理の例について述べたが、レコーダ１３及びパソコン１４が選択された場合の処理についても同様である。
【００５４】
また図７を参照して、管理データ７２には、一括オフ選択ボタン１０３が表示されている。ユーザが画面へのタッチ操作によって一括オフ選択ボタン１０３を押下すると、その旨の情報が入力部３５からデータ処理部３３に入力され、当該情報は受付部４５によって受け付けられる。受付部４５は、テーブル７１において一括オフの制御対象として設定された全ての電気機器（テレビ１２、レコーダ１３、及びパソコン１４）が選択された旨の情報を演算部４２に入力する。演算部４２は、テレビ１２、レコーダ１３、及びパソコン１４の各消費電力をゼロと仮定して総消費電力を再計算し、また、当該総消費電力と発電電力とに基づいて、テレビ１２、レコーダ１３、及びパソコン１４の各消費電力を「０ｋＷ」と仮定した場合の売買電力を再計算する。作成部４３は、再計算された値に基づいて新たな管理データ７４を作成する。管理データ７４は表示処理部４４によって表示部３４に表示される。
【００５５】
図９は、管理データ７４の一例を示す図である。テレビ１２、レコーダ１３、及びパソコン１４の各消費電力として「０ｋＷ」が表示されている。また、売買電力の項目には、テレビ１２、レコーダ１３、及びパソコン１４の各消費電力を「０ｋＷ」と仮定して再計算された売買電力の値が表示されている。この例では、テレビ１２、レコーダ１３、及びパソコン１４の各消費電力を「０ｋＷ」と仮定することにより、図７の買電状態が図９では売電状態に遷移している。また、管理データ７４には、一括オフ実行ボタン１０３Ａが表示されている。ユーザが画面へのタッチ操作によって一括オフ実行ボタン１０３Ａを押下すると、テレビ１２、レコーダ１３、及びパソコン１４のオフの実行命令がホームゲートウェイ１１から電源タップ１８に送信され、給電制御部５１〜５３の各リレーが遮断状態とされることにより、テレビ１２、レコーダ１３、及びパソコン１４への電力供給が停止される。
【００５６】
また図７を参照して、管理データ７２には、統計情報表示ボタン１０４が表示されている。ユーザが画面へのタッチ操作によって統計情報表示ボタン１０４を押下すると、その旨の情報が入力部３５からデータ処理部３３に入力される。この場合、ホームゲートウェイ１１はサーバ２５に対して統計情報を要求し、当該要求に応答してサーバ２５はホームゲートウェイ１１に統計情報を送信する。
【００５７】
図３を参照して、作成部４３によって作成された管理データ７２は送信処理部４６にも入力され、送信処理部４６は、入力された管理データ７２をサーバ２５に向けて送信する。サーバ２５への管理データ７２の送信は、例えば一日一回行われる。この管理データ７２には、その日の発電電力量、総消費電力量、各電気機器の消費電力量、及び売買電力量に関する情報が含まれる。サーバ２５は、ホームゲートウェイ１１から受信した管理データ７２を蓄積する。サーバ２５は、ホームゲートウェイ１１から統計情報の要求を受信すると、蓄積している管理データ７２に基づいて所望の統計情報を作成し、作成した統計情報をホームゲートウェイ１１に向けて送信する。
【００５８】
受信処理部４７は、サーバ２５から受信した統計情報を作成部４３に入力する。作成部４３は、入力された統計情報を含む新たな管理データ７５を作成する。管理データ７５は表示処理部４４によって表示部３４に表示される。
【００５９】
図１０は、管理データ７５の一例を示す図である。管理データ７５には、リアルタイムの発電電力、消費電力、及び売買電力に加えて、発電電力量、消費電力量、及び売買電力量に関する、電力量単位の統計情報が含まれている。図１０に示した例では、過去一月、前年同月、及び過去一年の統計情報が含まれている。なお、図１０に示した例に限らず、任意の期間に関する統計情報を含めることができる。
【００６０】
管理データ７５には、円単位表示ボタン１０５が表示されている。ユーザが画面へのタッチ操作によって円単位表示ボタン１０５を押下すると、その旨の情報が入力部３５からデータ処理部３３に入力され、当該情報は受付部４５によって受け付けられる。受付部４５は、円単位表示が選択された旨の情報を演算部４２に入力する。演算部４２は、住宅２に適用される料金プラン等に基づく電力量単位から円単位への換算式を保持しており、当該換算式に基づいて、管理データ７５に表示されている各電力量を円単位に換算する。作成部４３は、円単位表示の新たな管理データ７６を作成する。管理データ７６は表示処理部４４によって表示部３４に表示される。
【００６１】
図１１は、管理データ７６の一例を示す図である。管理データ７６には、リアルタイムの発電電力、消費電力、及び売買電力に加えて、発電電力量、消費電力量、及び売買電力量に関する、過去一月、前年同月、及び過去一年の円単位の統計情報が含まれている。
【００６２】
図１，３を参照して、ユーザが外出の際に操作ボタン２３を押下すると、その旨の情報が操作ボタン２３からホームゲートウェイ１１に向けて送信され、当該情報は制御部４８に入力される。制御部４８は、テーブル７１において一括オフの制御対象として設定された電気機器（テレビ１２、レコーダ１３、及びパソコン１４）の電源を一括してオフするための実行命令を、電源タップ１８に向けて送信する。これにより、給電制御部５１〜５３の各リレーが遮断状態とされることによって、テレビ１２、レコーダ１３、及びパソコン１４への電力供給が停止される。その結果、テレビ１２、レコーダ１３、及びパソコン１４における待機電力の発生が回避される。なお、テレビ１２、レコーダ１３、及びパソコン１４が放送番組の予約録画機能を有する場合において、予約録画が設定されている場合には、制御部４８はその機器に対しては一括オフの実行命令を送信しないように制御してもよい。予約録画の設定情報は、テレビ１２、レコーダ１３、及びパソコン１４から通信ネットワーク１０を介してホームゲートウェイ１１に入力される。
【００６３】
また、ユーザは、携帯電話、スマートフォン、ＰＤＡ（Personal Digital Assistant）、又はパソコン等の通信機器を用いて、一括オフの実行命令を外出先から通信ネットワーク２４を介してホームゲートウェイ１１に送信することも可能である。さらに、ユーザは、入力部３５から一括オフの実行命令を入力することも可能である。
【００６４】
このように本実施の形態に係る電力管理装置としてのホームゲートウェイ１１（及び電力管理システム１、プログラム３７）によれば、作成部４３は、発電電力に関する情報と各電気機器の消費電力に関する情報とを含む管理データ７２を作成し、表示処理部４４は、作成部４３が作成した管理データ７２を出力する。従って、表示処理部４４が管理データ７２を画面表示等によって出力することにより、発電電力に関する情報と各電気機器の消費電力に関する情報とが併せてユーザに提示される。その結果、ユーザは、提示された管理データ７２を参照することにより、どの電気機器の使用を控えれば効率的に節電できるかを容易に判断することが可能となる。
【００６５】
また、本実施の形態に係るホームゲートウェイ１１によれば、管理データ７２には、電力会社に対する売買電力に関する情報が含まれる。従って、ユーザは、提示された管理データ７２を参照することにより、どの電気機器の使用を控えれば効率的に売電力を増加又は買電力を減少できるかを、容易に判断することが可能となる。
【００６６】
また、本実施の形態に係るホームゲートウェイ１１によれば、管理データ７３には、受付部４５が選択を受け付けた電気機器の電源をオフすることとした場合の、当該電気機器のオフ後の売買電力に関する情報が含まれる。従って、ユーザは、提示された管理データ７３を参照することにより、どの電気機器の電源をオフすればどの程度売電力が増加するか又は買電力が減少するかを、具体的に判断することが可能となる。
【００６７】
また、本実施の形態に係るホームゲートウェイ１１によれば、管理データ７２には、個別に消費電力が測定されない一以上の電気機器（エアコン１７等）の合計の消費電力に関する情報が含まれる。従って、ユーザは、提示された管理データ７２を参照することにより、個別の消費電力に関する情報が管理データに含まれている電気機器（つまり個別に消費電力が測定される電気機器）以外の電気機器において、どの程度電力が消費されているかを容易に判断することが可能となる。
【００６８】
また、本実施の形態に係るホームゲートウェイ１１によれば、管理データ７５には、各電気機器についての消費電力の統計情報が含まれる。従って、ユーザは、提示された管理データ７５を参照することにより、月単位、季節単位、年単位等の所定の期間単位で、各電気機器についての消費電力の増減傾向を容易に判断することが可能となる。
【００６９】
また、本実施の形態に係るホームゲートウェイ１１によれば、送信処理部４６は、作成部４３が作成した管理データ７２を所定のサーバ２５に送信し、サーバ２５は、所定期間内に受信した複数の管理データ７２に基づいて統計情報を作成する。従って、統計情報を作成するための大量の管理データ７２をホームゲートウェイ１１内に記憶しておく必要がなく、また、統計情報の作成機能をホームゲートウェイ１１内に実装する必要もないため、ホームゲートウェイ１１の製品コストを低減することが可能となる。
【００７０】
また、本実施の形態に係るホームゲートウェイ１１によれば、管理データ７６において、発電電力に関する情報及び各電気機器の消費電力に関する情報は、金銭単位の情報として表される。従って、ユーザは、提示された管理データ７６を参照することにより、節電による金銭的なメリットを容易に判断することが可能となる。また、金銭単位の情報をユーザに提示することにより、節電に対するユーザの意識を高めることが可能となる。
【００７１】
また、本実施の形態に係るホームゲートウェイ１１によれば、制御部４８は、管理データ７２に含まれている複数の電気機器のうち、予め設定された一以上の特定の電気機器（テレビ１２、レコーダ１３、及びパソコン１４）への給電を一括して遮断する。従って、外出時等に当該特定の電気機器への給電を遮断することによって、当該電気機器における待機電力の発生を回避でき、その結果、節電効果をさらに高めることが可能となる。
【００７２】
また、本実施の形態に係るホームゲートウェイ１１によれば、制御部４８は、所定の通信機器から給電の一括遮断の実行命令を受信することにより、特定の電気機器への給電を一括して遮断する。従って、ユーザは、外出先で携帯電話やパソコンから一括遮断の実行命令を送信したり、玄関に設置されている通信機能付きの操作ボタン２３を外出時に押下する等によって、給電の一括遮断を容易に実行することが可能となる。
【００７３】
また、本実施の形態に係るホームゲートウェイ１１によれば、取得部４１は、電源タップ１８，１９に接続されている電気機器の消費電力を当該電源タップ１８，１９から取得し、同定部４９は、電源タップ１８，１９に接続されている電気機器を同定する。従って、電源タップ１８，１９と電気機器との対応関係をユーザが手動設定する必要がないため、ユーザの利便性を向上することが可能となる。
【００７４】
なお、今回開示された実施の形態はすべての点で例示であって制限的なものではないと考えられるべきである。本発明の範囲は、上記した意味ではなく、特許請求の範囲によって示され、特許請求の範囲と均等の意味及び範囲内での全ての変更が含まれることが意図される。
【符号の説明】
【００７５】
１  電力管理システム
１１  ホームゲートウェイ
１８，１９  電源タップ
２３  操作ボタン
３７  プログラム
４１  取得部
４２  演算部
４３  作成部
４４  表示処理部
４５  受付部
４６  送信処理部
４７  受信処理部
４８  制御部
４９  同定部
５１〜５３，６１〜６３  給電制御部
５４〜５６，６４〜６６  計測部
７２〜７６  管理テーブル
【図１】
2012247894.tif 000003
【図２】
2012247894.tif 000004
【図３】
2012247894.tif 000005
【図４】
2012247894.tif 000006
【図５】
2012247894.tif 000007
【図６】
2012247894.tif 000008
【図７】
2012247894.tif 000009
【図８】
2012247894.tif 000010
【図９】
2012247894.tif 000011
【図１０】
2012247894.tif 000012
【図１１】
2012247894.tif 000013